(57)【特許請求の範囲】
【請求項１】
デッキ板上に取り付けられた担体素子と、この担体素子上に配置された磁気ヘッド取付け部と、この磁気ヘッド取付け部に取り付けられた磁気ヘッドとを具え、種々の作動モードのため磁気テープの移送路に対する種々の位置に前記磁気ヘッドを移動可能にした磁気テープカセット装置において、
少なくとも２種類の作動モード位置において前記磁気ヘッドが前記磁気テープの移送路に対し変換ギャップ位置でほぼ平行に配列されるよう、前記磁気ヘッド取付け部を、前記磁気テープの移送路にほぼ垂直な方向に移動可能に、かつ、所定の限度内で回動可能に前記担体素子に支持し、また、
前記デッキ板上に配置された第１基準素子と、前記磁気ヘッド取付け部上に配置され前記第１基準素子によって押圧される位置決め素子とを設け、これにより、第１作動モード位置において、変換ギャップ位置における磁気テープの移送路に対し平行な前記磁気ヘッドの配列を達成する
ことを特徴とする磁気テープカセット装置。
【請求項２】
前記担体素子が前記磁気ヘッド取付け部の溝孔内に掛合する案内ピンを具えるか、又は前記担体素子が前記磁気ヘッド取付け部の案内ピンに掛合する溝孔を有することを特徴とする請求項１に記載の磁気テープカセット装置。
【請求項３】
前記担体素子と前記磁気ヘッド取付け部とを拘束力によって相互に拘束するよう構成したことを特徴とする請求項１または２に記載の磁気テープカセット装置。
【請求項４】
前記担体素子に支持され前記拘束作用を行うばねを設け、このばねにより前記磁気テープの移送路にほぼ垂直な方向に前記磁気ヘッド取付け部を実質的に強制的に押圧することを特徴とする請求項３に記載の磁気テープカセット装置。
【請求項５】
前記担体素子と磁気ヘッド取付け部との間の拘束の結果としてこの磁気ヘッド取付け部の溝孔の端壁を前記担体素子の案内ピンに押圧することにより、第２作動モード位置において変換ギャップ位置における磁気テープの移送路に対し平行な前記磁気ヘッドの配列を達成することを特徴とする請求項３または４に記載の磁気テープカセット装置。
【請求項６】
前記磁気ヘッド取付け部上に配置された位置決め素子と、前記デッキ板上に配置された第１基準素子とを協働させることによって、第１作動モード位置、及び第２作動モード位置において前記デッキ板に対し相対的に高さの方向に前記磁気ヘッド取付け部を案内することを特徴とする請求項１〜５のいずれか１項に記載の磁気テープカセット装置。
【請求項７】
前記担体素子と前記磁気ヘッド取付け部との間の拘束力によって前記デッキ板上に配置された第１基準素子に、前記磁気ヘッド取付け部上に配置された位置決め素子を押圧すると共に、前記担体素子上に配置され前記磁気ヘッド取付け部の溝孔に掛合する案内ピンを前記磁気ヘッド取付け部の溝孔の端壁から離すことによって、第１作動モード位置において変換ギャップ位置における磁気テープの移送路に対し平行な前記磁気ヘッドの配列を達成することを特徴とする請求項３〜６のいずれか１項に記載の磁気テープカセット装置。
【請求項８】
第３作動モード位置において磁気テープの移送路に対し前記磁気ヘッドを平行に配列し、前記デッキ板上に配置された第２基準素子と、前記磁気ヘッド取付け部の溝孔の端壁に押圧される前記担体素子の少なくとも１個の案内ピンとによって、前記第３作動モード位置における前記磁気ヘッドの平行な配列を決定することを特徴とする請求項１〜７のいずれか１項に記載の磁気テープカセット装置。
【請求項９】
前記デッキ板の周縁に配置された枢軸の周りに前記担体素子を回動可能に構成し、前記磁気ヘッド取付け部の溝孔を異なる長さにしたことを特徴とする請求項１〜８のいずれか１項に記載の磁気テープカセット装置。
【請求項１０】
第３作動モード位置において前記担体素子が回動中、前記デッキ板上に配置された第２基準素子が前記磁気ヘッド取付け部の作動アームに作用する結果として前記磁気ヘッド取付け部が前記担体素子の回動の反対方向の回動を行うことを特徴とする請求項９に記載の磁気テープカセット装置。
【請求項１１】
「正常プレイ（プレイ）」モードのために前記第１作動モード位置を使用し、「早巻き取り」モード、又は「ミュージックサーチ（MSS)」モードのために前記第２作動モード位置を使用し、「待機（スタンドバイ）」モード、又は「取出し」モードのために前記第３作動モード位置を使用することを特徴とする請求項１〜１０のいずれか１項に記載の磁気テープカセット装置。
【請求項１２】
請求項１〜１１のいずれか１項に記載の構成を有するテープデッキ。
【請求項１３】
請求項１〜１１のいずれか１項に記載の構成を具えるテープデッキを有する磁気テープカセット装置。
【発明の詳細な説明】
【０００１】
【発明の属する技術分野】
本発明はデッキ板上に取り付けられた担体素子と、この担体素子上に配置された磁気ヘッド取付け部と、この磁気ヘッド取付け部に取り付けられた磁気ヘッドとを具え、種々の作動モードのため磁気テープの移送路に対する種々の位置に磁気ヘッドを移動可能にした磁気テープカセット装置に関するものである。
【０００２】
【従来の技術】
このような磁気テープカセット装置はドイツ特許公開第4404687 号から既知である。種々の作動モードに対するレベルの変動を防止するために、種々の位置における種々のモードに対し、磁気ヘッドの変換ギャップが磁気テープの移送路にほぼ平行に配列されているのが望ましい。磁気テープの移送路に磁気ヘッドの変換ギャップを平行に配列するとは、磁気ヘッドの変換ギャップの位置で、磁気テープが変換ギャップの位置における磁気ヘッド面の接線平面にほぼ平行に磁気ヘッドを通して移動することを意味するものと解すべきである。このことは、ミュージックサーチシステム(MSS) を具えるテープデッキに特に適用される。このようなシステムでは、早巻取りモードにおいて、同時に磁気テープの記録ギャップを検出できるように作動し得るよう磁気ヘッドは磁気テープに穏やかに接触している。
【０００３】
ドイツ特許公開第4404687 号においては、枢着軸線の周りに回動でき、磁気テープに対し移動できる担体素子上に磁気ヘッドを取り付けている。特殊な移動能力を有するこの担体素子によって、この担体素子の回動軸線の周りに回転可能なように担体素子上に磁気ヘッドを配置することにより、また担体素子の回動位置に無関係に磁気ヘッドを常に磁気テープに垂直に案内することにより、種々のモードで磁気ヘッドを平行に配列することができる。従って、担体素子に対する磁気ヘッドの唯一の相対運動は純粋な回転運動である。しかし、この案内と組み合わせた磁気ヘッドのこのような配置は、回動軸線の周りに回動可能で磁気テープに対し移動可能であるこれ等特定の担体素子を具えるデッキにのみ使用し得るに過ぎない。更に、このような装置においては、担体素子の運動と、磁気テープの移送方向に垂直な方向の磁気ヘッドの運動とは互いに剛固にロックされている。圧力ローラ機構の作動のためにも担体素子を使用する場合には、ミュージックサーチシステムを具えるデッキのケースでは圧力ローラがミュージックサーチモードでキャプスタンに誤って接触することが起こる公差の問題が発生し易い。これはミュージックサーチモードで、磁気ヘッドは限定された距離のみカセットの外に動くに過ぎないから、圧力ローラも限定された距離のみキャプスタンから離れる方向に移動するからである。このことは、特に担体素子が並進運動をせず固定回転中心の周りに回転する場合、特にこの固定回転中心に最も近く圧力ローラを配置した場合に生ずることである。
【０００４】
【発明が解決しようとする課題】
本発明の目的は種々の作動モードのための種々の位置において、磁気テープの移送路に対し変換ギャップの位置で平行な方向に磁気ヘッドを配列するよう種々に移動可能なように取り付けられた担体素子を有する磁気テープカセット装置を得るにある。
【０００５】
【課題を解決するための手段】
本発明によれば、この目的を達成することができ、本発明装置は少なくとも２種類の作動モード位置において磁気ヘッドが磁気テープの移送路に対し変換ギャップ位置でほぼ平行に配列されるよう、磁気ヘッド取付け部を、磁気テープの移送路にほぼ垂直な方向に移動可能に、かつ、所定の限度内で回動可能に、担体素子に支持し、また、デッキ板上に配置された第１基準素子と、前記磁気ヘッド取付け部上に配置され前記第１基準素子によって押圧される位置決め素子とを設け、これにより、第１作動モード位置において、変換ギャップ位置における磁気テープの移送路に対し平行な前記磁気ヘッドの配列を達成することを特徴とする。
【０００６】
担体素子上に回動可能、及び移動可能なように磁気ヘッド取付け部を取り付けることによって、担体素子に対し磁気ヘッド取付け部によって遂行し得る可能な運動の数を相当増大することができる。磁気ヘッド取付け部は担体素子に対し半径方向の運動、横方向の運動、及びこれ等の運動を組み合わせた運動を行うことができる。担体素子に対する磁気ヘッド取付け部の運動のこの大きな自由度の結果として、磁気テープの移送路に向く方向に種々の運動を遂行する種々の構造の担体素子は少なくとも２個の位置において変換ギャップの位置での磁気テープの移送路に対する磁気ヘッドの平行な配列を達成するのを可能にする。
【０００７】
【発明の実施の形態】
磁気ヘッド取付け部の移動可能な構成に起因し、所定範囲内で担体素子の運動を磁気ヘッドの運動から分離することができる。ここに「回動」とは実際の回動が無くともこの配列を達成する全ての運動を包含すると解すべきである。
本発明によれば、デッキ板上に固定配置された基準素子に対する磁気ヘッドの配列によって非常に高い配列精度が達成される。特に、第１位置におけるこの配列は不可避の公差を生ずる第１位置における担体素子の方向とは無関係である。
【０００８】
本発明の他の有利な実施例は担体素子が磁気ヘッド取付け部の溝孔内に掛合する案内ピンを具えるか、又は担体素子が磁気ヘッド取付け部の案内ピンに掛合する溝孔を有することを特徴とする。
溝孔に掛合する案内ピンによる担体素子上の磁気ヘッド取付け部の回動可能で移動可能な構成の手段は安価で簡単である。これに関連し、２個の案内ピンに協働する２個の溝孔を使用することは特に注目される。
本発明の他の有利な実施例は担体素子と磁気ヘッド取付け部とを拘束力によって相互に拘束するよう構成したことを特徴とする。
案内ピンと溝孔とが相互に作用し合わないが、これ等の拘束力によって磁気ヘッド取付け部を固定位置に保持することができる。この実施例において、担体素子に支持され拘束作用を行うばねを設け、このばねにより磁気テープの移送路にほぼ垂直な方向に磁気ヘッド取付け部を実質的に強制的に押圧すれば有利である。
【０００９】
ばねによる拘束力は実現するのが非常に簡単である。磁気テープの移送路に向く方向の磁気ヘッド取付け部のばね負荷に起因し、磁気テープの移送路に垂直方向に溝孔の端縁に顕著な力を作用させる案内ピンを使用することなく、デッキ板の素子、例えば第１基準素子に磁気ヘッド取付け部を押圧することができる。
この実施例の更に有利な変更の実施例は、担体素子と磁気ヘッド取付け部との間の拘束の結果としてこの磁気ヘッド取付け部の溝孔の端壁を担体素子の案内ピンに押圧することにより、第２作動モード位置において変換ギャップ位置における磁気テープの移送路に対し平行な磁気ヘッドの配列を達成することを特徴とする。
この第２作動モード位置において、この第２作動モード位置における担体素子の方向により、又は磁気ヘッド取付け部に押圧される担体素子上に取り付けられた案内ピンにより磁気ヘッドの平行な配列を定める。
【００１０】
本発明の他の実施例では、磁気ヘッド取付け部上に配置された位置決め素子と、デッキ板上に配置された第１基準素子とを協働させることによって、第１作動モード位置、及び第２作動モード位置においてデッキ板に対し相対的に高さの方向に磁気ヘッド取付け部を案内する。
デッキ板上に配置された基準素子による高さ方向の配列を非常に高い精度で実現することができる。従って、例えば磁気ヘッド取付け部上に配置された位置決め素子は設置溝孔の形状をとり、第１基準素子はこの設置溝孔に掛合するピンの形状をとる。
【００１１】
本発明の他の有利な実施例は担体素子と磁気ヘッド取付け部との間の拘束力によってデッキ板上に配置された第１基準素子に、磁気ヘッド取付け部上に配置された位置決め素子を押圧すると共に、担体素子上に配置され磁気ヘッド取付け部の溝孔に掛合する案内ピンを磁気ヘッド取付け部の溝孔の端壁から離すことによって、第１作動モード位置において変換ギャップ位置における磁気テープの移送路に対し平行な磁気ヘッドの配列を達成することを特徴とする。
この拘束力は磁気ヘッド取付け部をその位置決め素子によって基準素子に押圧するから、担体素子の案内ピンが溝孔の端壁に作用することによって、第１基準素子の方向に磁気ヘッド取付け部に力を作用させる必要がない。従って、担体素子の案内ピンが、従って担体素子自身が、磁気ヘッド取付け部と磁気ヘッドとを第１作動モード位置の外に動かすことなく、磁気ヘッド取付け部の溝孔の制限内で自由に動くことが可能になる。この構造はミュージックサーチシステムを有するテープデッキに使用して特に有利である。
【００１２】
このようなシステムでは、ミュージックサーチモードで磁気ヘッドはプレイモードでの磁気ヘッド位置から非常に僅かな距離のみを移動し、磁気ヘッドは穏やかに磁気テープに接触し、磁気テープ上の記録ギャップをなお検出することができる。しかし、同時に、このようなシステムでは、プレイモードで関連するキャプスタンに押し付けられていた圧力ローラはミュージックサーチモードのキャプスタンから十分遠く後退する必要がある。多くのテープデッキでは、圧力ローラは担体素子上に配置されているか、担体素子の運動によって制御されるから、磁気テープから磁気ヘッドを僅かに後退させること、及び同時に、ミュージックサーチモードでの作動のため圧力ローラをキャプスタンから十分大きく後退させることが問題になる。本発明の実施例は、通常のプレイモードからミュージックサーチモードでの作動に切り替わる時、担体素子に配置されたピン、従って担体素子自身は磁気ヘッド取付け部、及び磁気ヘッドより一層長い距離を後退する。磁気ヘッド取付け部、及び磁気ヘッドは磁気テープから後退するのに必要な僅かな距離のみを後退するが、担体素子上の案内ピン、及び担体素子は磁気ヘッド取付け部の溝孔の縦寸法に等しい付加的距離を後退することができ、これによりキャプスタンからの圧力ローラの十分な後退を確実に行う。このようにして担体素子と圧力ローラとの運動を磁気ヘッドの運動から分離する。
【００１３】
本発明の他の好適な実施例は第３作動モード位置において磁気テープの移送路に対し磁気ヘッドを平行に配列し、デッキ板上に配置された第２基準素子と、磁気ヘッド取付け部の溝孔の端壁に押圧される担体素子の少なくとも１個の案内ピンとによって、第３作動モード位置における前記磁気ヘッドの平行な配列を決定することを特徴とする。
本発明の他の有利な実施例はデッキ板の周縁に配置された枢軸の周りに担体素子を回動可能に構成し、磁気ヘッド取付け部の溝孔を異なる長さにしたことを特徴とする。
デッキ板の周縁に位置する枢軸の周りに担体素子を回転することによって、磁気ヘッドと磁気ヘッド取付け部とをプレイ位置からミュージックサーチと早巻き取りとのための位置に動かす。枢軸から異なる距離に担体素子上に配置された案内ピンは異なる長さの通路に従って動く。これ等の異なる通路長さを補正し、磁気ヘッド取付け部と磁気ヘッドとを磁気テープの移送路に対して平行に配列できるようにするため、磁気ヘッド取付け部の溝孔を異なる長さにする。
【００１４】
本発明の他の有利な実施例は第３作動モード位置において担体素子が回動中、デッキ板上に配置された第２基準素子が磁気ヘッド取付け部の作動アームに作用する結果として磁気ヘッド取付け部が担体素子の回動の反対方向の回動を行うことを特徴とする。
この第３作動モード位置は取出し位置のような待機モードに使用するのに特に適している。この作動位置では磁気ヘッド取付け部、及び磁気ヘッドは磁気テープカセットの作動区域の完全に外にあって、このカセットを磁気テープカセット装置から取り出すことができる。ここでデッキ板の周縁に位置する枢軸を有する担体素子も、この担体素子が第１作動モード位置、又は第２作動モード位置から第３作動モード位置に回転する時、磁気ヘッド、及び磁気ヘッド取付け部の担体素子の枢軸に向く側にある区域は磁気ヘッド、及び磁気ヘッド取付け部の担体素子の枢軸から遠方の側の区域よりも磁気テープの移送路から離れて一層短い距離を移動するという問題を有する。磁気テープの移送通路からの距離がこのように相違するのを補正するため、磁気ヘッド取付け部は担体素子の回転運動に対し反対方向の回動を行い、デッキ板に配置された第２基準素子は磁気ヘッド取付け部の作動アームに作用する。このようにして、第３作動モード位置において変換位置の磁気テープの移送路に対し磁気ヘッドと磁気ヘッド取付け部とを確実に平行に配列させる。
「正常プレイ（プレイ）」モードのために第１作動モード位置を使用し、「早巻き取り」モード、又は「ミュージックサーチ（MSS)」モードのために第２作動モード位置を使用し、「待機（スタンドバイ）」モード、又は「取出し（Eject)」モードのために第３作動モード位置を使用するのが有利である。
図面の図１〜図６を参照して本発明の実施例を一層詳細に説明する。
【００１５】
【実施例】
図１に示すように、本発明磁気テープデッキはデッキ板１を具え、その周縁上に担体素子２を枢軸３の周りに回転し得るように取り付ける。この担体素子２は２個のリム２ａ、２ｂと、リム２ａの端部の案内ピン２ｃとを有する。この案内ピン２ｃは制御ディスクの制御部（図示せず）に掛合する。この制御部は担体素子２を回動させるのに必要な力を案内ピン２ｃに作用させる。磁気ヘッド取付け部４を浮動状態に担体素子２上に支持する。この磁気ヘッド取付け部４に開口４ａを設け、例えば接着剤、又はクランプによって磁気ヘッド５をこの開口４ａ内に取り付ける。担体素子２を枢軸３の周りに回転させることによって、磁気ヘッド５と磁気ヘッド取付け部４とを磁気テープ６の移送路に向け動かすことができる。磁気テープ６の移送のため、２個のキャプスタン７、８を設け、関連する圧力ローラ（図示せず）をこれ等キャプスタンに加えるようにする。更に、デッキ板１に２個のリールディスク９、１０を支持し、磁気テープカセット（図示せず）の巻取り孔（図示せず）内にこれ等リールディスク９、１０を掛合可能にする。
【００１６】
図１に示す位置では、磁気テープデッキは正規プレイモードにある。図２はこのプレイモード位置にある磁気ヘッド５、磁気ヘッド取付部４、及び担体素子２の一部を平面図に示す。磁気ヘッド取付部４は４個の突出テープ案内素子１１ａ、１１ｂ、１１ｃ、１１ｄを具え、これ等案内素子によって磁気テープ６の移送路を画成する。磁気ヘッド取付部４を「浮動状態」に担体素子２上に取り付ける。即ち、磁気ヘッド取付部４と担体素子２との間には剛強連結部がないようにする。この目的のため、磁気テープ６の移送路に向け延びる異なる長さの２個の溝孔１３、１４を磁気ヘッド取付け部４に設ける。担体素子２上に配置された案内ピン１５、１６をこれ等溝孔１３、１４に掛合させる。溝孔１３、１４内に掛合するこれ等案内ピン１５、１６によって、担体素子２に対して相対的な磁気ヘッド取付け部４の側方案内路を画成する。担体素子２に対する磁気ヘッド取付け部４の並進運動、又は回動運動は溝孔１３、１４の境界内で可能である。ワイヤーばね１８によって担体素子２と磁気ヘッド取付け部４とは相互に拘束される。このワイヤーばね１８はその中心部で支持素子１９の溝２０に掛合し、両端部で磁気ヘッド取付け部４の溝２１、２２内に押圧されており、またワイヤーばね１８は支持素子１９に支えられている。
【００１７】
磁気ヘッド取付け部４の両端に、位置決め素子２４、２５を配置する。位置決め素子２４、２５は端部が開いた設置輪郭の形状である。これ等位置決め素子２４、２５はデッキ板１上に固着された第１基準素子２６、２７に協働する。第１基準素子２６、２７の側方突出ノーズ２８、２９は位置決め素子２４、２５を形成している設置輪郭に掛合可能である。位置決め素子２４、２５、及び第１基準素子２６、２７の構造は図５の側面図から明らかである。磁気ヘッド取付け部４の磁気ヘッド５に向く側面に、作動アーム３０を設ける。この作動アーム３０は自由に移動し得るようデッキ板１上にある。デッキ板１のその前側の位置１ａに第２基準素子３１を固着する。
【００１８】
まず第１に、図１、図２、及び図５に示すプレイモードにおける作動を説明する。このプレイ位置においては、ワイヤーばね１８は磁気ヘッド取付部４の位置決め素子２４、２５を第１基準素子２６、２７のノーズ２８、２９に押圧し、支持素子１９に支えられている。位置決め素子２４、２５を開放端に形成している設置輪郭は位置決め傾斜面３２、３３を有する。図５に明らかなように、プレイ位置では、第１基準素子２６、２７のノーズ２８、２９はこれ等位置決め傾斜面３２、３３を押圧して楔作用を行う。従って第１基準素子２６、２７に対し、即ちデッキ板１に対し磁気ヘッド取付け部４はプレイフリー位置になる。従って第１基準素子２６、２７はプレイ位置における磁気ヘッド取付け部４に関して２個の基準点を画成している。デッキ板１上に配置されている作動アーム３０は第３基準点を画成している。
【００１９】
ワイヤばね１８はデッキ板１に関して第１基準素子２６、２７のノーズ２８、２９よりも低いレベルに位置している。その結果、磁気ヘッド取付部４はデッキ板１に指向するトルクを受け、このトルクはデッキ板１上にある作動アーム３０によって吸収される。担体素子２によって支持され、磁気ヘッド取付け部４の溝孔１３、１４内に掛合する案内ピン１５、１６はプレイモードにある磁気ヘッド取付け部４の位置に影響を及ぼさない。プレイ位置では、案内ピン１５、１６はそれぞれ溝孔１３、１４の端壁１３ａ、１３ｂ、及び１４ａ、１４ｂから離れるように配置される。従って、プレイモードでは、磁気ヘッド取付け部４と磁気ヘッド５との位置は、デッキ板１に固着されていて担体素子２に固着されていない第１基準素子２６、２７のノーズ２８、２９に対し、及びデッキ板１に対してのみ関係する。このことは、磁気テープカセット（図示せず）内への貫入深さに関し、デッキ板１に対する相対高さに関し、及び磁気テープ６に対する相対角位置に関し、磁気ヘッド取付け部４と磁気ヘッド５との非常に高い位置決め精度の達成を可能にする。
プレイモードでは、磁気ヘッド５は変換ギャップの位置で磁気テープ６の移送路に関しほぼ平行に配列する。このことは磁気ヘッド５の変換ギャップの位置では、磁気テープ６は変換ギャップの位置の磁気ヘッドの面の接線平面４０に対しほぼ平行に移動することを意味することは明らかである。
【００２０】
ここで、プレイモードから「早巻取り」モード、又は「ミュージックサーチ」モード(MSS) （以後MSS 位置と称する) への切替えを図３の平面図、及び図６の側面図を参照して説明する。
テープデッキをプレイ位置からMSS 位置にセットしたい時は、担体素子２を枢軸３の周りに反時計方向に回動する。即ち磁気テープ６の移送路から離れる方向に担体素子２を動かす。この回動運動の第１角度範囲内では、磁気ヘッド取付け部４と磁気ヘッド５とはそのプレイ位置に留まっている。最初、磁気ヘッド取付け部４と磁気ヘッド５とは動かない。これは、ワイヤばね１８が位置決め素子２４、２５を第１基準素子２６、２７のノーズ２８、２９に更に押圧しているからである。溝孔１４の端壁１４ａに右側の案内ピン１６が押圧される程、担体素子２の回動角が大きくなるまでは、担体素子２の回動は磁気ヘッド取付け部４と磁気ヘッド５との位置に影響を与えない。溝孔１３と溝孔１４との長さが異なる結果、右側の案内ピン１６が溝孔１４の端壁１４ａに押圧される。この結果、磁気ヘッド取付け部４と磁気ヘッド５とは斜め位置を占める。
【００２１】
担体素子２が更に回動すると、担体素子２の左側の案内ピン１５が溝孔１３の端壁１３ａに押圧される。担体素子２がMSS 位置に完全に回動した時、磁気ヘッド５と共に磁気ヘッド取付け部４が磁気テープ６の移送路に再び平行に配列されるように溝孔１３、１４の異なる長さの割合を予め定める。MSS 位置では、溝孔１３、１４の端壁１３ａ、１４ａは担体素子２の案内ピン１５、１６に押圧される。溝孔１３、１４の長さが異なる結果、担体素子２がプレイ位置に対し回動し終わったにも拘らず、磁気ヘッド取付け部４と磁気ヘッド５とはMSS モードにある磁気テープ６の移送路に平行に延在している。
【００２２】
図６から明らかなように、MSS モードでは、磁気ヘッド取付部に配置された位置決め素子２４、２５は第１基準素子２６、２７のノーズ２８、２９によって高さ方向に依然として案内されている。担体素子２の案内ピン１５、１６は単に、磁気テープ６の移送路に対する磁気ヘッド取付け部４と磁気ヘッド５との平行な配列を決定しているに過ぎない。MSS モード中の磁気テープ６の移送路に対する磁気ヘッド取付け部４と磁気ヘッド５とのこの平行な配列はMSS モードでの高い信頼性のある作動を保証するものである。テープデッキをプレイモードからMSS モードにセットした時、担体素子２上の固定案内ピン１５、１６は磁気ヘッド取付け部４、及び磁気ヘッド５より一層大きな距離を移動する。これは、上述したように、担体素子２の最初の角度範囲では磁気ヘッド取付け部４と磁気ヘッド５とは移動しないからである。このような構造にすることによって、次の問題点が解決される。
【００２３】
ミュージックサーチ位置では、磁気ヘッド５が磁気テープ６に穏やかに接触し、磁気テープ６上の記録ギャップがなお検出されるように、プレイ位置に対し磁気ヘッドは非常に僅かな距離を移動するのみにする必要がある。しかし、同時に、リールディスク９、１０によってキャプスタン７、８と、関連する圧力ローラとの間を磁気テープ６が自由に移動し得るよう、プレイモードで作用する圧力ローラを関連するキャプスタン７、又は８から遠く後退させることが必要である。圧力ローラは担体素子２に取り付けられていることが多いから、MSS モードにある関連するキャプスタンから圧力ローラを十分に後退させることを保証することが不確実になることが多い。この担体素子の場合には、特に右側の圧力ローラを右側のキャプスタン７から後退させることが困難である。これは、このキャプスタン７は担体素子２の枢着点３の付近に位置し、担体素子２がプレイ位置からMSS 位置に回動する時、担体素子２上に取り付けられた圧力ローラは僅かな距離を移動するに過ぎないからである。上述したように、本発明テープデッキにおいては、プレイモードからMSS モードへ切替え中、担体素子２は磁気ヘッド５、及び磁気ヘッド取付け部４より一層長い距離を移動する。その結果、担体素子２に取り付けた圧力ローラ（図示せず）の十分な後退を保証することができる。
【００２４】
図４に平面図で示す取出し位置と同一の待機位置にテープデッキをセットする場合には、担体素子２を枢軸３の周りに更に反時計方向に回動する。担体素子２のこの回動中、磁気ヘッド５と磁気ヘッド取付け部４とは随伴して動き、溝孔１３、１４の端壁１３ａ、１４ａに案内ピン１５、１６が押圧される。次に、磁気ヘッド５と磁気ヘッド取付け部４とは磁気テープ６の移送路に対する斜め位置を最初に再び占める。担体素子２が更に回動すると、デッキ板１に取り付けられた第２基準素子３１に磁気ヘッド取付け部４の作動アーム３０は押圧される。その結果、磁気ヘッド取付け部４と磁気ヘッド５とは時計方向に回動する。図４に示す待機位置、又は取出し位置では、作動アーム３０の右側面３０ａが第２基準素子３１の左側面３１ａに押圧される。従って、待機位置、又は取出し位置においても、磁気ヘッド取付け部４と磁気ヘッド５とを磁気テープ６の移送路に対し平行に配列することを達成する。
【００２５】
待機位置、又は取出し位置においては、磁気テープカセットをテープデッキから取り出すことができるようにするため、磁気ヘッド取付け部４と磁気ヘッド５とを磁気テープカセット（図示せず）から完全に後退させることが必要である。担体素子２の枢軸３がデッキ板１の周縁に位置しているから、担体素子２の回動中、テープ案内素子１１ｃ、１１ｄを担持して枢軸３に向いている磁気ヘッド取付け部４の右側部分よりも、テープ案内素子１１ａ、１１ｂを有する磁気ヘッド取付け部の左側部分が一層早く磁気テープカセットを去ると言う問題が発生する。作動アーム３０上の第２基準素子３１の作動の結果として、担体素子２に対する磁気ヘッド５と磁気ヘッド取付け部４との時計方向回動によってこの問題は解決される。従って、磁気ヘッド取付け部４と磁気ヘッド５との磁気テープカセットからの完全な後退のために必要な回動角は、待機モード、又は取出しモードでの磁気ヘッド取付け部４と磁気ヘッド５との上述の平行な配列によって減少する。これは、磁気ヘッド取付け部４が平行に配列している間は、この「重要」なテープ案内素子１１ｃ、１１ｄは磁気テープカセットの外に付加的な時計方向の回転を行うからである。
【００２６】
本発明は担体素子上の磁気ヘッド取付け部に支持された磁気ヘッドを配置するための新規な解決策を提供する。本発明の「浮動」配置によって、種々の作動モード、特にプレイモード、MSS モード、及び取出しモードで、磁気テープの移送路に対し希望するように磁気ヘッドと磁気ヘッド取付け部とを配列することができる。本発明の「浮動」配置は、デッキ板１の周縁の枢軸３の周りに担体素子２を支承した例示の実施例に使用された担体素子２に限定されない。この「浮動」配置は種々の方法で支持される移動可能な担体素子についても、磁気テープの移送路に対する磁気ヘッド取付け部と磁気ヘッドとの平行な配列を種々の位置で実現することができる。更に、磁気ヘッド取付け部の移動可能な配置は磁気ヘッドの移動から担体素子の運動を切り離すことを可能にする。
【図面の簡単な説明】
【図１】テープデッキをプレイ位置に示し、デッキ板上に回転可能に取り付けられた担体素子と、この担体素子上に配置された磁気ヘッド取付け部と、この磁気ヘッド取付け部に取付けられた磁気ヘッドとを具える磁気テープカセット装置のテープデッキの一部の斜視図である。
【図２】図１のプレイ位置に示した磁気ヘッドと、磁気ヘッド取付け部と、担体素子とを有するテープデッキの一部の平面図である。
【図３】早巻き取り、又はミュージックサーチ(MSS) 位置にある磁気ヘッド、磁気ヘッド取付け部、及び担体素子を有するテープデッキの部分の平面図である。
【図４】取出し位置、又は待機位置にある磁気ヘッド、磁気ヘッド取付け部、及び担体素子を有するテープデッキの部分の平面図である。
【図５】デッキ板上に配置された基準素子に協働するよう磁気ヘッド取付け部に配置された位置決め素子を有し、プレイ位置にある磁気ヘッド取付け部の一部の側面図である。
【図６】デッキ板上に配置された基準素子に協働するよう磁気ヘッド取付け部に配置された位置決め素子を有し、早巻取り位置、又はミュージックサーチ位置にある磁気ヘッド取付け部の一部の側面図である。
【符号の説明】
１  デッキ板
２  担体素子
４  磁気ヘッド取付け部
５  磁気ヘッド
６  磁気テープ
９、１０  リールディスク
１３、１４  溝孔
１５、１６  案内ピン
１８  ワイヤーばね
１９  支持素子
２０、２１、２２  溝
２４、２５  位置決め素子
２６、２７  第１基準素子
２８、２９  側方突出ノーズ
３０  作動アーム
３１  第２基準素子
３２、３３  位置決め傾斜面
【図１】
0003981175.tif 000002
【図２】
0003981175.tif 000003
【図３】
0003981175.tif 000004
【図４】
0003981175.tif 000005
【図５】
0003981175.tif 000006
【図６】
0003981175.tif 000007